(57)【要約】      （修正有）【課題】コインを容易に収納及び取り出しうると共に、コイン収納時に常にコイン収納部を開放する必要のない財布を提供する。【解決手段】蓋板部５０を開放した場合に、側板部３０，４０及び前板部２０が底板部２０の周縁部上に立ち上がることにより、上方が開放された箱状のコイン収納部２を形成する蓋板部５０は、表面側板部材５１と、表面側板部材５１の裏面側に配置され、表面側板部材５１との間に、コイン収納部２に連通するコイン収納路５４を形成しうる裏面側板部材５２とを有している。【選択図】図２
0003177413.tif 000002
【実用新案登録請求の範囲】
【請求項１】
平面方形状に形成された底板部と、上記底板部の一辺部から延設され、上記底板部に折り重ね可能に形成された前板部と、上記前板部の長さ方向両端部に連設されると共に、上記底板部の前板部接合部に隣接する一対の対辺部から延設され、上記底板部上に折り重ね可能な一対の側板部と、上記一対の側板部の両端部及び底板部の上記前板部接合部に対向する辺部に連設され、底板部を開閉可能に被覆しうる蓋板部とを有したコイン収納部を備え、
上記蓋板部を開放した場合には、上記側板部及び上記前板部が上記底板部の周縁部上に立ち上がることにより、上方が開放された箱状のコイン収納部を形成すると共に、上記蓋板部を閉止する場合には、上記前板部及び上記一対の側板部を上記底板部上に折り畳むと共に上記蓋板部を上記前板部に係止させてコイン収納部を閉止する財布であって、
上記蓋板部は、表面側板部材と、上記表面側板部材の裏面側に配置され、上記表面側板部材との間に、上記コイン収納部に連通するコイン収納路を形成しうる裏面側板部材とを有していることを特徴とする財布。
【請求項２】
上記裏面側板部材は、上記一対の側板部に連設され、上記蓋板部を閉止した場合に上記底板部との間に配置されることにより、投入されたコインの排出を阻止するコイン排出阻止部を有することを特徴とする請求項１に記載の財布。
【請求項３】
上記コイン排出阻止部は、裏面側板部材本体と上記一対の側板部との間に形成される折り畳み部を備えていることを特徴とする請求項２記載の財布。
【請求項４】
上記コイン排出阻止部は、裏面側板部材本体の開放側端部において上記収納路に対して突出する段部を備えていることを特徴とする請求項２記載の財布。
【請求項５】
上記折り畳み部は、裏面側板部材本体により形成され、上記蓋板部を開放した場合には、上記底板部に対して上記蓋板部を折り重ねた場合に折り畳まれて上記一対の側板部と共にコイン収納部を形成することを特徴とする請求項３記載の財布。
【考案の詳細な説明】
【技術分野】
【０００１】
本考案は、財布の改良に関する。
【背景技術】
【０００２】
従来、コイン取り出し時の視認性や取り出し容易性を高めた財布として、コイン取り出し、収納時に、コインの収納空間を箱状に開放して形成されるものがある。
例えば、下記特許文献１に開示された財布は、平面視で四角状に形成された底板部と、底板部の一辺部から延設され、底板部に折り重ね可能に形成された前板部と、上記前板部の長さ方向両端部に連設されると共に、底板部の前板部接合部に隣接する一対の対辺部から延設され、底板部上に折り重ね可能な一対の側板部と、上記一対の側板部の両端部及び底板部の上記前板部接合部に対向する辺部に連設され、底板部を開閉可能に被覆しうる蓋部とを備えている。
【０００３】
このような従来のコインの収納取り出し性を高めた財布にあっては、コインの収納時には、蓋板部を開放した場合には、同時に、側板部及び前板部が底板部の周縁部上に立ち上がることにより、上方が開放された箱状のコイン収納部を形成することから、使用者は、コインを容易に収納できると共に、コイン取り出し時にも容易に必要とするコインを視認し、取り出すことができるように構成されている。
【０００４】
しかしながら、このような従来の財布にあっては、コイン収納時には、常に上方が開放された箱状のコイン収納部を形成することから、コイン収納部全体が露出してしまい、他人からコインの収納情況を視認されてしまったり、場合によっては、振動等によりコインが落下してしまったりする場合もある、という不具合があった。
【特許文献１】特開２０００−２１７６２０号公報
【考案の開示】
【考案が解決しようとする課題】
【０００５】
本考案はこのような従来からの不具合を解決するためのものであって、その課題は、コインを容易に収納及び取り出しうると共に、コイン収納時に常にコイン収納部を開放する必要のない財布を提供することにある。
【課題を解決するための手段】
【０００６】
上記課題達成のため、請求項１記載の考案にあっては、平面方形状に形成された底板部と、上記底板部の一辺部から延設され、上記底板部に折り重ね可能に形成された前板部と、上記前板部の長さ方向両端部に連設されると共に、上記底板部の前板部接合部に隣接する一対の対辺部から延設され、上記底板部上に折り重ね可能な一対の側板部と、上記一対の側板部の両端部及び底板部の上記前板部接合部に対向する辺部に連設され、底板部を開閉可能に被覆しうる蓋板部とを有したコイン収納部を備え、上記蓋板部を開放した場合には、上記側板部及び上記前板部が上記底板部の周縁部上に立ち上がることにより、上方が開放された箱状のコイン収納部を形成すると共に、上記蓋板部を閉止する場合には、上記前板部及び上記一対の側板部を上記底板部上に折り畳むと共に上記蓋板部を上記前板部に係止させてコイン収納部を閉止する財布であって、上記蓋板部は、表面側板部材と、上記表面側板部材の裏面側に配置され、上記表面側板部材との間に、上記コイン収納部に連通するコイン収納路を形成しうる裏面側板部材とを有していることを特徴とする。
請求項１記載に係る財布にあっては、表面側板部材と裏面側板部材との間に、コイン収納部に連通するコイン収納路を形成することができる。従って、蓋板部を閉止した状態において、収納路の開放側端部からコインを収納することができる。また、蓋板部を開放することによってコイン収納部からコインを取り出すことができる。
【０００７】
請求項２記載の考案にあっては、上記裏面側板部材は、上記一対の側板部に連設され、上記蓋板部を閉止した場合に上記底板部との間に配置されることにより、投入されたコインの排出を阻止するコイン排出阻止部を有することを特徴とする。
請求項２記載に係る財布にあっては、投入されたコインはコイン排出阻止部により阻止される。従って、財布を保持している際に、コイン収納路の開放側端部を下方に向けてもコインがコイン収納路から落下し難くなり、収納されたコインを紛失する事態を防止できる。
【０００８】
請求項３記載の考案にあっては、上記コイン排出阻止部は、裏面側板部材本体と上記一対の側板部との間に形成される折り畳み部を備えていることを特徴とする。
請求項３記載に係る財布にあっては、コイン排出阻止部が折り畳み部を備えているので、コイン排出抑止性、及び、蓋板部の開放容易性を両立させることができる。
【０００９】
請求項４記載の考案にあっては、上記コイン排出阻止部は、裏面側板部材本体の開放側端部において上記収納路に対して突出する段部を備えていることを特徴とする。
請求項４記載に係る財布にあっては、コイン排出阻止部が収納路に対して突出する段部を備えているので、財布を保持している際に収納路の開口側端部が下方に向けられたとしても収納路に投入されたコインが段部に当接することから、コインが誤って排出されることを防ぐことができる。
【００１０】
請求項５記載の考案にあっては、上記折り畳み部は、裏面側板部材本体により形成され、上記蓋板部を開放した場合には、上記底板部に対して上記蓋板部を折り重ねた場合に折り畳まれて上記一対の側板部と共にコイン収納部を形成することを特徴とする。
請求項５記載に係る財布にあっては、折り畳み部が裏面側板部材本体により形成され、上記一対の側板部と共にコイン収納部を形成するので、折り畳み部によりコインが誤って排出されることを防ぐことができる。
【考案の効果】
【００１１】
請求項１〜５に記載された考案に係る財布にあっては、蓋板部を閉止した状態において、収納路の開放側端部から、収納路を介してコインをコイン収納部へ収納することができる。その結果、この種の財布において、コイン収納時に常にコイン収納部を開放する必要がないため、コインを容易に収納することができると共に、収納の際に他人からコインの収納情況を視認されてしまうという事態を防止することができる。また、蓋板部を開放することにより、コインを容易に取り出すことができるため、全体として使いやすい財布を提供することができる。
【００１２】
請求項２に記載された考案に係る財布にあっては、収納路の開放側端部を下方に向けてもコインが収納路から落下し難くなり、収納路に収納したコインを紛失させることがない。その結果、コインを収納路に収納したままで、開放側端部が常に上方を向いている状態で財布で持ち運ぶことが不要となることから、保持性が良好で、使いやすい財布を提供することができる。
【００１３】
請求項３に記載された考案に係る財布にあっては、コイン排出抑止性、及び、蓋板部の開放容易性を両立させることができる。その結果、構成部品を低減したスマートな財布を提供することができる。
【００１４】
請求項４及び５に記載された考案に係る財布にあっては、簡易な構成でコインの排出抑止性を高めることができる。その結果、簡素な構成で、コインの紛失を有効に抑止することができる。
【図面の簡単な説明】
【００１５】
【図１】本考案に係る財布の一実施の形態を示す財布の外観斜視図であって、蓋板部を閉止した状態を示した図である。
【図２】本考案に係る財布の一実施の形態を示す財布の外観斜視図であって、蓋板部を開放した状態を示した図である。
【図３】本考案に係る財布の一実施の形態を示す財布の外観斜視図であって、蓋板部の開放途中の状態を示した図である。
【図４】本考案に係る財布の一実施の形態を示す財布の外観斜視図であって、収納路の開口端を開放させた状態を示した図である。
【図５】本考案に係る財布の一実施の形態を示す財布の作用説明図である。
【考案を実施するための最良の形態】
【００１６】
以下、添付図面に示す実施の形態に基づき、本考案に係る財布を詳述する。
【００１７】
図１，図２，図３は、本実施形態に係る財布１の外観斜視図である。
図１に示すように、財布１は、皮革製のコインケースであり、図２に示すように、底板部１０と前板部２０と一対の側板部３０，４０と蓋板部５０とにより構成されている。
【００１８】
本実施の形態にあっては、財布１は一枚の皮革布材を折曲形成することにより形成され、図２に示すように、底板部１０は平面正方形状に形成されており、前板部２０、一対の側板部３０，４０及び蓋板部５０は、底板部１０に対して折曲形成されて一体的に形成されている。
【００１９】
図２に示すように、前板部２０は、底板部１０の略半分の大きさ寸法の長方形状に形成されており、底板部１０の一辺部１１から延設されている。この前板部２０には、底板部１０の前板部接合部１２側に、間隔を空けて二つの雌側係止ボタン６０が配設されている。
【００２０】
図２に示すように、一対の側板部３０，４０は、それぞれ、前板部２０と略同一の大きさ寸法の長方形状に形成されている。
【００２１】
図２に示すように、一方の側板部３０は、前板部２０の長さ方向の一方の端縁部２１に連設されている。また、側板部３０は、底板部１０の前板部接合部１２に隣接する対辺部１３を介して延設されている。
上記一方の側板部３０に対向して設けられた他方の側板部４０は、前板部２０の長さ方向の他方の端縁部２２に連設されている。また、側板部４０は、底板部１０の前板部接合部１２に隣接する対辺部１４を介して延設されている。
【００２２】
図１に示すように、蓋板部５０は、側板部３０の一端縁３１、側板部４０の一端縁４１及び底板部１０の前板部接合部１２に対向する辺部１５を介して連設されている。
【００２３】
図２及び図３に示すように、このような財布１は、蓋板部５０を開放した場合には、蓋板部５０の開放動作に追随して、一対の側板部３０，４０及び前板部２０が底板部１０の周縁部上に自動的に立ち上がることにより、上方が開放された箱状のコイン収納部２が形成されるように構成されている。
【００２４】
図４は、図１〜図３とは異なる角度から見た斜視図である。図２及び図４に示すように、蓋板部５０は、二層に形成されており、表面側板部材５１と、表面側板部材５１の裏面側に配置された裏面側板部材５２と、裏面側板部材５２の表裏に亘って裏面側板部材５２を、表面側及び裏面側の双方で被覆する被覆部材５３とを有している。
【００２５】
図３及び図４に示すように、裏面側板部材５２は、裏面側板部材５２の幅方向（底板部１０の辺部１５に沿う方向）の中央で二分割された一対の裏面分割片７１，７２で構成されている。
【００２６】
図３及び図４に示すように、一対の裏面分割片７１，７２は、それぞれ、被覆部材５３によって被覆された裏面側板部材本体７１ａ，７２ａと、一対の側板部３０，４０に連設されたコイン排出阻止部を構成する折り畳み部７１ｂ，７２ｂとにより構成されている。
図３に示すように、これら裏面分割片７１，７２は、それぞれ、表面側板部材５１及び一対の側板部３０，４０に対して一端縁３１，４１を介して相互に連続して一体的に形成されている一方、図４に示すように、裏面側板部材本体７１ａ，７２ａ側の端部が表面側板部材５１の端部と共に開口端５２ｃを形成している。
【００２７】
被覆部材５３は、裏面側板部材５２と同一の大きさ寸法に形成された皮革板部材であり、図３及び図４に示すように、開口端５２ｃで折り返されるようにして、裏面側板部材５２の表裏の各半分を被覆している。図３に示すように、被覆部材５３における表面側板部材５１の対向面には、それぞれ雌側係止ボタン６０，６０に嵌合する二つの雄側係止ボタン６１，６１が併設されている。
【００２８】
このような構成により、表面側板部材５１と裏面側板部材５２との間には、コイン収納部２に連通するコイン収納路５４が形成されるようになっている。コイン収納路５４においては、図４に示すように、被覆部材５３の端部（段部）５３ａがコイン収納部２内方に向かって段状に突出している。
【００２９】
図１に示すように、蓋板部５０を底板部１０に対して回動して接近させた場合には、前板部２０及び一対の側板部３０，４０が自然に底板部１０上に折り畳まれると共に、雄側係止ボタン６１を雌側係止ボタン６０に対して嵌合させることにより、蓋板部５０を前板部２０に係止させてコイン収納部２を閉止するように構成されている。
【００３０】
より具体的には、図１及び図３に示すように、前板部２０が底板部１０に対して二つ折り状に折り重ねられる一方、蓋板部５０が底板部１０及び前板部２０に対して折り重ねられる。この際、図３に示すように、一対の側板部３０，４０は、それぞれ、長さ方向の両側を、側方二等辺三角形状の折れ線部８１，８１を介して直角二等辺三角形状に折り曲げられて、平面形状が二等辺三角状になるように折り畳まれる。
【００３１】
一対の側板部３０，４０に連続し、裏面側板部材５２を形成する一対の裏面分割片７１，７２の折り畳み部７１ｂ，７２ｂは、蓋板部５０を閉止する場合には、それぞれ、折れ線部８０，８０を介して裏面部が表出するように裏返しになり、直角二等辺三角形状に折り畳まれる。
上記折り畳み部７１ｂ，７２ｂに連続する側板部３０，４０は、側方二等辺三角形状の折れ線部８１，８１を介して折曲され、内方へ折れる二等辺三角形状の内方折れ部８２と、内方折れ部８２の斜辺部に連設され、外方へ折れる内側外方折れ部８３ａと外側外方折れ部８３ｂとにより構成される。
【００３２】
蓋板部５０を閉止することにより、上記折り畳み部７１ｂ，７２ｂが内側外方折れ部８３ａ、８３ａに折り重なった場合には、図４に示すように、表面側板部材５１と底板部１０との間に二等辺三角状の収納間隙７３が形成される。この収納間隙７３は、蓋板部５０を前板部２０に係止させた際のコイン収納部２の一部を構成する。
【００３３】
上記収納間隙７３は、表面側板部材５１の内側面部と、底板部１０の内側面部と、表面側板部材５１の内側面部及び底板部１０の内側面部との間に配置され、相互に重ねあわされた裏面側板部材５２の内側面部５２ａ、５２ｂ及び折り畳み部７１ｂ、７２ｂとにより構成される。
この状態においては、裏面側板部材５２及び被覆部材５３は、底板部１０と表面側板部材５１との間に配置される。
【００３４】
財布１におけるコインの簡易収納方法について図を用いて説明する。
図１に示すように、財布１の通常の使用態様においては、蓋板部５０が底板部１０に重なって扁平な状態となることから、収納路５４の開口端５２ｃは非常に狭い状態になっている。この状態から、財布１の底板部１０の対辺部１３，１４を片手で把持して、収納路５４の開口端５２ｃを上方に向け、蓋板部５０を幅方向両側から押圧する。
【００３５】
図４に示すように、表面側板部材５１と裏面側板部材５２とが互いに離間するように撓んで、収納路５４の開口端５２ｃが開口する。図５に示すように、開口端５２ｃから収納路５４にコインＣを投入することができる。
【００３６】
この場合、図５（ａ）に示すように、投入されたコインＣは収納間隙７３に収納され、一部のコインＣが裏面側板部材５２と表面側板部材５１との角隅部７４、７４に収納される。その後、表面側板部材５１と裏面側板部材５２とを互いに近接させて、図１に示すように、蓋板部５０を再び扁平状にし、開口端５２ｃを狭い状態にすることにより財布１として保持することができる。
【００３７】
この場合、図５（ｂ）に示すように、財布１を保持した場合に、保持状況により開口端５２ｃが下方を向いた場合であっても、収納路５４に収納されたコインＣは、二等辺三角状に形成されたコイン収納部２の収納間隙７３に大部分が収納されていることから、表面側板部材５１の内側面部及び底板部１０の内側面部との間に配置され、相互に重ねあわされた裏面側板部材５２の内側面部５２ａ、５２ｂ及び折り畳み部７１ｂ、７２ｂにコインＣが当接することから、開口端５２ｃから外方へ落下しにくい。また、裏面側板部材５２と表面側板部材５１との角隅部７４に収納された一部のコインＣは、被覆部材５３の端部５３ａに当接することから、同様に開口端５２ｃから外方へ落下しにくい。
【００３８】
そして、図２及び図３に示すように、最終的に蓋板部５０を開放すると、収納路５４とコイン収容部２との連通部が大きく確保される。そうすると、収納路５４に収納されていたコインＣが、それぞれの自重によってコイン収納部２に送出され、コイン収納部２に確実に収納される。
【００３９】
以上説明したように、本実施形態に係る財布１は、表面側板部材５１と裏面側板部材５２との間に、コイン収納部２に連通するコイン収納路５４を形成することができる。従って、蓋板部５０を閉止した状態において、収納路５４の開口端５２ｃを介して、収納路５４にコインを収納することができる。また、蓋板部５０を開放すると収納路５４のコインがコイン収納部２に送出される。
【００４０】
その結果、コインを容易に収納及び取り出しうると共に、コイン収納時に常にコイン収納部２を開放する必要のない財布１を提供することができる。
【００４１】
また、裏面側板部材５２と被覆部材５３とが投入されたコインの排出を阻止するので、収納路５４の開口端５２ｃを下方に向けてもコインが収納路５４から落下し難くなり、収納路５４に収納したコインを紛失させることがない。その結果、コインをコイン収納路５４に収納したままで財布１を様々な姿勢で持ち運ぶことが可能となるので、財布１の使い勝手を高めることが可能となる。
【００４２】
また、折り畳み部７１ｂ，７２ｂがコインの排出を抑止するので、コイン排出抑止機能、及び、蓋板部５０の開放容易性を両立させることができる。その結果、構成部品を省いたスマートな財布を提供することができる。
【００４３】
また、角隅部７４に収納されたコインが被覆部材５３の端部５３ａに引っ掛かって落下し難くなるので、コインの排出を阻止することができる。その結果、簡素な構成で、収納路５４に収納されたコインの紛失をより高い割合で抑止することができる。
【００４４】
また、折り畳み部７１ｂ，７２ｂが一対の側板部３０，４０と共に収納間隙７３を形成するので、折り畳み部７１ｂ，７２ｂが折り返されて形成された収納間隙７３にコインが収納されることでコインが落下し難くなるので、折り畳み部７１ｂ，７２ｂを有効的に利用してコインの排出を阻止することができる。その結果、折り畳み部７１ｂ，７２ｂを利用して、コインの紛失をより高い割合で抑止することができる。そして、被覆部材５３の端部５３ａと相乗してコインの紛失をより確実に抑止することが可能となる。
【００４５】
以上、本考案の一実施形態を説明したが、本考案は上述した実施形態に限らず、種々の設計変更が可能である。例えば、上述した実施形態においては、コインケースに本発明を適用したが、札入れ部を有する二つ折り財布や長財布の小銭入れに本発明を適用することが可能である。
【００４６】
また、雌側係止ボタン６０と雄側係止ボタン６１とを嵌合させることにより、蓋板部５０を前板部２０に係止させる構成としたが、マジックテープ（登録商標）や紐等で係止させてもよい。
【００４７】
また、前板部２０、一対の側板部３０，４０及び蓋板部５０のそれぞれに対して底板部１０を一体的に形成したが、別体に構成してそれぞれを縫着あるいは接着等で接合してもよい。
【００４８】
また、例えば、被覆部材５３を赤、他の構成要素を黒とするように、被覆部材５３と他の構成要素とを異なる色彩にすることによって優れた意匠効果を得ることができる。
【符号の説明】
【００４９】
財布…１
コイン収納部…２
底板部…１０
底板部の一辺部…１１
底板部の前板部接合部…１２
底板部の一対の対辺部…１３，１４
前板部接合部に対向する辺部…１５
前板部…２０
端縁部（前板部の長さ方向両端部）…２１，２２
一対の側板部…３０，４０
一端縁３１，４１（一対の側板部の両端部）…３１，４１
蓋板部…５０
表面側板部材…５１
裏面側板部材…５２
被覆部材…５３
端部（コイン排出阻止部、段部）…５３ａ
コイン収納路…５４
裏面側板部材本体…７１ａ，７２ａ
折り畳み部…７１ｂ，７２ｂ
開口端（裏面側板部材本体の開放側端部）…５２ｃ
収納間隙（コイン収納部）…７３
【図１】
0003177413.tif 000003
【図２】
0003177413.tif 000004
【図３】
0003177413.tif 000005
【図４】
0003177413.tif 000006
【図５】
0003177413.tif 000007